(57)【要約】【課題】戻しレバーの第３のポジションから第１のポジションへの復帰動作を効率的に行うことにより、より一層の高スループット化を図る。【解決手段】プリンタ１は、重送されようとした用紙を上流側に戻す戻しレバー１９の制御モードとして、第１切換モードと、第２切換モードとを実行可能に構成されている。第１切換モードは画質優先モード、第２切換モードはスループット優先モードであり、第１切換モードでは、戻しレバー１９の第３ポジションから第１ポジションへの復帰動作は、先行ページの排出動作完了後に実行される。第２切換モードでは、前記復帰動作は先行ページの排出動作完了前に実行され、先行ページへの記録動作、又は排出動作、又はその双方の動作と並行して実行されて、次ページの給送動作を早期に開始することができる。【選択図】図５
2008239274.tif 000002
【特許請求の範囲】
【請求項１】
複数枚の被記録媒体を積層状態でセット可能な被記録媒体セット部と、
前記被記録媒体セット部にセットされた被記録媒体を給送方向へ送り出す給送ローラと、
給送されるべき被記録媒体に連れられて前記被記録媒体セット部から繰り出された次ページ以降の被記録媒体を前記被記録媒体セット部に向けて戻す被記録媒体戻しレバーと、
前記被記録媒体戻しレバーを制御する制御手段と、
被記録媒体に記録を行う記録手段と、を備え、
前記制御手段は、給送待機時のポジションであって前記給送経路を塞ぐ第１のポジションと、
その先端が前記第１のポジションより下流側に位置することにより前記給送経路を開放する第２のポジションと、
その先端が前記第１のポジションより上流側に位置する第３のポジションと、の順に前記被記録媒体戻しレバーを切り換えるよう制御し、
次ページの給送動作を控えている場合、先行ページに関して実行される動作と並行して、前記被記録媒体戻しレバーの前記第３のポジションから前記第１のポジションへの復帰動作の一部又は全部を行う制御モードを備えている、
ことを特徴とする記録装置。
【請求項２】
複数枚の被記録媒体を積層状態でセット可能な被記録媒体セット部と、
前記被記録媒体セット部にセットされた被記録媒体を給送方向へ送り出す給送ローラと、
給送されるべき被記録媒体に連れられて前記被記録媒体セット部から繰り出された次ページ以降の被記録媒体を前記被記録媒体セット部に向けて戻す被記録媒体戻しレバーと、
前記被記録媒体戻しレバーを制御する制御手段と、
被記録媒体に記録を行う記録手段と、を備え、
前記制御手段は、給送待機時のポジションであって前記給送経路を塞ぐ第１のポジションと、
その先端が前記第１のポジションより下流側に位置することにより前記給送経路を開放する第２のポジションと、
その先端が前記第１のポジションより上流側に位置する第３のポジションと、の順に前記被記録媒体戻しレバーを切り換えるよう制御し、
前記制御手段は、次ページの給送動作を控えている場合、次ページの給送動作が開始可能となる迄に、前記被記録媒体戻しレバーの前記第３のポジションから前記第１のポジションへの復帰動作を完了する制御モードを備えている、
ことを特徴とする記録装置。
【請求項３】
請求項１または２に記載の記録装置において、前記制御手段は、前記制御モードにおいて、先行ページへの記録の為の最後の副走査送りが終了した後に、前記被記録媒体戻しレバーの前記第３のポジションから前記第１のポジションへの復帰動作を開始する、
ことを特徴とする記録装置。
【請求項４】
請求項１から３のいずれかに記載の記録装置において、前記制御手段は、被記録媒体の種類に応じて、被記録媒体後端が前記被記録媒体戻しレバーと接触可能な位置より下流側に進んだ後に、前記被記録媒体戻しレバーの前記第３のポジションから前記第１のポジションへの復帰動作を実行することを特徴とする記録装置。
【請求項５】
請求項１から３のいずれかに記載の記録装置において、記録の行われた被記録媒体を反転させる反転装置を備え、
前記制御手段は、被記録媒体の両面に記録を実行する場合であって前記第２面への記録実行前に前記被記録媒体戻しレバーの前記第３のポジションから前記第１のポジションへの復帰動作を行う場合、被記録媒体後端が前記被記録媒体戻しレバーと接触可能な位置より下流側に進んだ後に、前記復帰動作を実行することを特徴とする記録装置。
【請求項６】
請求項１から３のいずれかに記載の記録装置において、前記制御手段は、被記録媒体に記録を実行する際の記録モードに応じて、被記録媒体後端が前記被記録媒体戻しレバーと接触可能な位置より下流側に進んだ後に、前記被記録媒体戻しレバーの前記第３のポジションから前記第１のポジションへの復帰動作を実行することを特徴とする記録装置。
【発明の詳細な説明】
【技術分野】
【０００１】
本発明は、被記録媒体に記録を行う記録装置に関する。
【背景技術】
【０００２】
記録装置或いは液体噴射装置の一例としてのインクジェットプリンタには、被記録媒体としての用紙を複数枚セット可能な給送装置（オートシートフィーダ（ＡＳＦ）とも呼ばれる）が設けられている。給送装置は、例えば、用紙と接して回転することにより用紙を下流側へ送る給送ローラと、用紙を支持するとともに支持した用紙を前記給送ローラに圧接させる姿勢と離間させる姿勢とを切換可能なホッパと、給送時に重送されようとする用紙を上流側へ戻す戻しレバーとを備えており、積層状態でホッパに支持された複数枚の用紙を最上位のものから１枚ずつ給送する。
【０００３】
ここで戻しレバーには、用紙給送経路を塞ぐ第１のポジションと、給送時に用紙給送経路を開放する第２のポジションとの２つのポジションをとるものがある他、特許文献１に示すように、更に第３のポジションをとる様に駆動制御されるものもある。第３のポジションは第１のポジションから更に上流側に回動した位置であり、特許文献１におけるその目的の一つは、給送開始前に戻しレバーを上流側に僅かに回動させることにより、給送開始前に用紙束をホッパ上の正しい位置に戻すことにより、給送待機時における最上位の用紙と給送ローラとの接触を防止し、もって用紙の重送を防止することにある。
【特許文献１】特開２００３−２６３４９号公報
【発明の開示】
【発明が解決しようとする課題】
【０００４】
ところで上記第３のポジションは、記録実行中における用紙の姿勢を最適化する機能をも果たす。即ち戻しレバーは、第１のポジションにおいて用紙給送経路を塞ぐよう、用紙給送経路に大きく突出している為、このポジションのまま用紙に記録が実行されると、用紙後端側に顕著な湾曲姿勢が形成され、大きなバックテンションが生じて記録品質を低下させる虞がある。また用紙うら面に擦り傷が形成される虞もある。そこで用紙への記録実行中は、戻しレバー先端が用紙給送経路から僅かに退避する第３のポジションに切り換え、先行ページが排出された後に、第１のポジションに復帰するよう制御することにより、上記のような問題を解消することができる。
【０００５】
しかし近年、高スループット化の要請が著しく、上記のように戻しレバーに第３のポジションを設けると、第３のポジションから第１のポジションへの復帰動作が介在するぶん次ページの給送動作開始が遅れ、高スループット化の要請に応えることができない。  
そこで本発明はこの様な状況に鑑みなされたものであり、その目的は、戻しレバーの第３のポジションから第１のポジションへの復帰動作を効率的に行うことにより、より一層の高スループット化を図ることにある。
【課題を解決するための手段】
【０００６】
上記課題を解決するために、本発明の第１の態様は、複数枚の被記録媒体を積層状態でセット可能な被記録媒体セット部と、前記被記録媒体セット部にセットされた被記録媒体を給送方向へ送り出す給送ローラと、給送されるべき被記録媒体に連れられて前記被記録媒体セット部から繰り出された次ページ以降の被記録媒体を前記被記録媒体セット部に向けて戻す被記録媒体戻しレバーと、前記被記録媒体戻しレバーを制御する制御手段と、被記録媒体に記録を行う記録手段と、を備え、前記制御手段は、給送待機時のポジションであって前記給送経路を塞ぐ第１のポジションと、その先端が前記第１のポジションより下流側に位置することにより前記給送経路を開放する第２のポジションと、その先端が前記第１のポジションより上流側に位置する第３のポジションと、の順に前記被記録媒体戻しレバーを切り換えるよう制御し、次ページの給送動作を控えている場合、先行ページに関して実行される動作と並行して、前記被記録媒体戻しレバーの前記第３のポジションから前記第１のポジションへの復帰動作の一部又は全部を行う制御モードを備えていることを特徴とする。
【０００７】
本態様によれば、記録装置の制御部は、次ページの給送動作を控えている場合、先行ページに関して実行される動作と並行して、被記録媒体戻しレバーの第３のポジションから前記第１のポジションへの復帰動作の一部又は全部を行う制御モードを備えているので、この制御モードが実行されると、次ページの給送動作を開始する際には、被記録媒体戻しレバーの前記復帰動作が或る程度終了しているか、或いは完全に終了した状態となる。従って次ページの給送動作を開始するに際して、被記録媒体戻しレバーの前記復帰動作を待つ時間が短縮し、或いはゼロとなるので、より一層の高スループット化を図ることができる。
【０００８】
尚、「先行ページに関して実行される動作」とは、先行ページの給送動作、記録動作、排出動作など、被記録媒体戻しレバーが第３のポジションに切り換わった時点から先行ページの排出を完了するまでの、先行ページに関して実行される全ての動作を意味する。
【０００９】
本発明の第２の態様は、複数枚の被記録媒体を積層状態でセット可能な被記録媒体セット部と、前記被記録媒体セット部にセットされた被記録媒体を給送方向へ送り出す給送ローラと、給送されるべき被記録媒体に連れられて前記被記録媒体セット部から繰り出された次ページ以降の被記録媒体を前記被記録媒体セット部に向けて戻す被記録媒体戻しレバーと、前記被記録媒体戻しレバーを制御する制御手段と、被記録媒体に記録を行う記録手段と、を備え、前記制御手段は、給送待機時のポジションであって前記給送経路を塞ぐ第１のポジションと、その先端が前記第１のポジションより下流側に位置することにより前記給送経路を開放する第２のポジションと、その先端が前記第１のポジションより上流側に位置する第３のポジションと、の順に前記被記録媒体戻しレバーを切り換えるよう制御し、前記制御手段は、次ページの給送動作を控えている場合、次ページの給送動作が開始可能となる迄に、前記被記録媒体戻しレバーの前記第３のポジションから前記第１のポジションへの復帰動作を完了する制御モードを備えていることを特徴とする。
【００１０】
本態様によれば、記録装置の制御部は、次ページの給送動作を控えている場合、次ページの給送動作が開始可能となる迄に、前記被記録媒体戻しレバーの前記第３のポジションから前記第１のポジションへの復帰動作を完了する制御モードを備えていることから、上記第１の態様と同様に、前記制御モードを実行することにより、次ページの給送動作を開始する際には、被記録媒体戻しレバーの前記復帰動作が完全に終了した状態となっている。従って次ページの給送動作を開始するに際して、被記録媒体戻しレバーの前記復帰動作を待つ時間がゼロとなり、より一層の高スループット化を図ることができる。
【００１１】
本発明の第３の態様は、第１のまたは第２の態様に係る記録装置において、前記制御手段は、前記制御モードにおいて、先行ページへの記録の為の最後の副走査送りが終了した後に、前記被記録媒体戻しレバーの前記第３のポジションから前記第１のポジションへの復帰動作を開始することを特徴とする。
【００１２】
本態様によれば、前記制御手段は、前記制御モードにおいて、先行ページへの記録の為の最後の副走査送りが終了した後に、被記録媒体戻しレバーの前記復帰動作を開始するので、被記録媒体戻しレバーが前記第１のポジションに復帰することにより被記録媒体にバックテンションが生じ得る状態となっても、既に先行ページへの記録の為の副走査送りは終了しているので、副走査送り精度の低下による記録品質の低下を招くことが無い。
【００１３】
本発明の第４の態様は、第１から第３の態様のいずれかに係る記録装置において、前記制御手段は、被記録媒体の種類に応じて、被記録媒体後端が前記被記録媒体戻しレバーと接触可能な位置より下流側に進んだ後に、前記被記録媒体戻しレバーの前記第３のポジションから前記第１のポジションへの復帰動作を実行することを特徴とする。
【００１４】
例えば被記録媒体がコート層を有する専用紙などの場合、剛性が高く、第１のポジションにある被記録媒体戻しレバーによって被記録媒体が押し上げられた状態になると、大きなバックテンションが生じる虞がある。そこで前記制御手段は、被記録媒体の種類に応じて、被記録媒体後端が前記被記録媒体戻しレバーと接触可能な位置より下流側に進んだ後に、前記被記録媒体戻しレバーの復帰動作を実行するので、被記録媒体が第１のポジションにある被記録媒体戻しレバーによって押し上げられた状態となることを防止でき、従って大きなバックテンションが生じることがなく、また被記録媒体裏面にダメージを与えることもない。
【００１５】
本発明の第５の態様は、第１から第３の態様のいずれかに係る記録装置において、記録の行われた被記録媒体を反転させる反転装置を備え、前記制御手段は、被記録媒体の両面に記録を実行する場合であって前記第２面への記録実行前に前記被記録媒体戻しレバーの前記第３のポジションから前記第１のポジションへの復帰動作を行う場合、被記録媒体後端が前記被記録媒体戻しレバーと接触可能な位置より下流側に進んだ後に、前記復帰動作を実行することを特徴とする。
【００１６】
被記録媒体の両面に記録を実行する場合、最初に記録が行われる第１面の反対側の面（第２面）に傷が形成されると、第２面の記録品質を低下させることとなる。そこで本態様においては、制御手段は、被記録媒体の両面に記録を実行する場合には、被記録媒体後端が前記被記録媒体戻しレバーと接触可能な領域より下流側に進んだ後に、前記被記録媒体戻しレバーの復帰動作を実行するので、被記録媒体の第２面が、第１のポジションにある被記録媒体戻しレバーと接触することがなく、従って大きなバックテンションが生じることがないとともに、被記録媒体の第２面に傷等が形成されず、第２面の記録品質低下を防止できる。
【００１７】
本発明の第６の態様は、第１から第３の態様のいずれかに係る記録装置において、前記制御手段は、被記録媒体に記録を実行する際の記録モードに応じて、被記録媒体後端が前記被記録媒体戻しレバーと接触可能な位置より下流側に進んだ後に、前記被記録媒体戻しレバーの前記第３のポジションから前記第１のポジションへの復帰動作を実行することを特徴とする。
【００１８】
被記録媒体に記録を実行する際の記録に係るモードには、例えば「きれい」モード（記録品質優先モード）や「はやい」モード（スループット優先モード）等、記録品質の高低に応じた複数のモードがある。そこで前記制御手段は、被記録媒体に記録を実行する際の記モードに応じて、被記録媒体後端が前記被記録媒体戻しレバーと接触可能な位置より下流側に進んだ後に、前記被記録媒体戻しレバーの復帰動作を実行するので、記録品質を優先するモードにおいては、被記録媒体が第１のポジションにある被記録媒体戻しレバーによって押し上げられた状態となることを防止でき、従って大きなバックテンションが生じることがなく、記録品質の低下を防止できる。
【発明を実施するための最良の形態】
【００１９】
以下、図面に基づいて本発明に係る「記録装置」、「液体噴射装置」の実施形態について説明する。  
＜＜インクジェットプリンタの構成＞＞  
先ず、図１乃至図３を参照しながら、「記録装置」、「液体噴射装置」の一実施形態としてのインクジェットプリンタ（以下「プリンタ」と言う）の構成について概説する。ここで図１はプリンタ１の側断面概略図、図２はリア給送装置２の駆動源とその駆動対象との関係を示すブロック図、図３は戻しレバー１９の各ポジションを示す説明図である。
【００２０】
プリンタ１は、装置後部にリア給送装置２を、装置下部にフロント給送装置３を備え、これら２つの給送装置から、搬送手段５へと「被記録媒体」或いは「被噴射媒体」としての記録用紙（以下「用紙Ｐ」と言う）を給送する。用紙Ｐは搬送手段５によって記録ヘッド３８と対向する位置へ副走査送りされ、記録が実行された後、排出手段６によって図示しないスタッカへと排出される。また、リア給送装置２の後部には反転装置７が設けられており、最初に記録の行われた用紙Ｐの第１面に対して反対側の第２面に記録が可能となるよう、用紙Ｐを反転させ、これにより用紙Ｐの両面への記録も実行可能となっている。
【００２１】
以下、用紙搬送経路上の構成要素について更に詳説する。  
図１においてリア給送装置２は、用紙給送経路上の構成要素として、ホッパ１６と、給送ローラ１１と、リタードローラ１８と、戻しレバー１９と、を備えている。  
複数枚の用紙Ｐを積層状態でセット可能な用紙セット部を構成するホッパ１６は、上部の揺動支点１６ａを中心に揺動可能に設けられ、揺動することにより、ホッパ１６上に支持された用紙Ｐを給送ローラ１１に圧接させる第１の姿勢（以下では「上昇姿勢」と言う）と、給送ローラ１１から離間させる第２の姿勢（以下では「下降姿勢」と言う）と、を切り換える。尚このホッパ１６の姿勢切り換え動作は、後述するホッパ駆動手段５２によって実行される。
【００２２】
給送ローラ１１は円形状を成し、外周が高摩擦材によって形成され、ホッパ１６によって押し上げられた用紙Ｐの最上位のものと接触し且つ回転することにより、最上位の用紙Ｐを下流側へ給送する。尚この給送ローラ１１は、後述する給送ローラ駆動手段５１によって駆動される。
【００２３】
分離部材としてのリタードローラ１８は外周が高摩擦材によって形成されているとともに、給送ローラ１１と対向する位置において給送ローラ１１に対して進退可能に設けられ、且つ、トルクリミッタ機構によって、所定の回転抵抗が与えられた状態に設けられている。従って、リタードローラ１８と給送ロ−ラ１１との間に給送されるべき最上位の用紙Ｐのみが存在する場合には、リタードローラ１８は従動回転し、次位以降の用紙Ｐが存在する場合には、用紙間の滑り作用により従動回転せずに停止し、これにより次位以降の用紙Ｐの重送を防止する。尚リタードローラ１８の給送ローラ１１に対する進退動作は、後述するホッパ駆動手段５２によって実行される。
【００２４】
戻しレバー１９は、用紙幅方向に延びる回動軸２０の軸線方向に適宜の間隔を置いて複数設けられ、回動軸２０の回動により、用紙給送経路を側視して揺動可能となっていて、後述するホッパ駆動手段５２（図２）によって駆動される。
【００２５】
ここで戻しレバー１９は、図３に示すように給送待機時のポジションであってその先端が用紙給送経路に最も大きく突出するポジション（第１ポジション：以下場合により「Pos.1」と表記する）と、この第１ポジションから、その先端が下流側に向かうよう回動することにより用紙給送経路を開放するポジション（第２ポジション：以下場合により「Pos.2」と表記する）と、この第２ポジションから、その先端が第１ポジションにおける先端位置よりも上流側に位置するよう上流側に向かって回動することにより、記録実行中の用紙後端の姿勢を規制するポジション（第３ポジション：以下場合により「Pos.3」と表記する）と、の順に切り換わるよう制御部５０（図２）により制御される。
【００２６】
戻しレバー１９は、その先端が描く回動軌跡内に給送ローラ１１とリタードローラ１８とのニップ点が含まれるよう回動可能に設けられている。給送動作開始前の待機状態では、第１ポジションに位置決めされ、給送動作開始後間もなく第２ポジションへと切り換えられる。そして給送されるべき最上位の用紙Ｐ先端が戻しレバー１９を通過した後は、第２ポジションから第３ポジションに切り換えられ、この過程において重送されようとした次位以降の用紙Ｐがホッパ１６に向けて戻される。そして給送動作が終了すると、第３ポジションから第１ポジションへの復帰動作が行われる。
【００２７】
尚、用紙Ｐへの記録実行中は、戻しレバー１９は基本的に第３ポジションに保持される。これは、用紙Ｐへの記録実行中に第１ポジションへ復帰させると、第１ポジションが最も給送経路に大きく突出する姿勢であり、この為用紙Ｐが上方に顕著に押し上げられてバックテンションが増大し、記録品質の低下を招いたり、用紙うら面への擦り傷等が形成される等、不具合が生じるからである。しかしながら、用紙Ｐの種類、記録モード、両面印刷実行の有無、用紙後端位置、等に応じて、場合によっては用紙Ｐへの記録実行中に第３ポジションから第１ポジションへの復帰動作が行われる場合もある（後に詳述）。
【００２８】
次に、図１に戻ってプリンタ１の底部に設けられ、用紙Ｐを装置前方からセットする様構成されたフロント給送装置３は、給紙カセット２５と、ピックアップローラ２６と、給送ローラ２７と、リタードローラ２４と、を備えている。  
後述する給送ローラ駆動手段５１によって回転駆動されるピックアップローラ２６は、装置前方側から装着及び取り外し可能な給紙カセット２５にセットされた用紙Ｐの最上位のものと接して回転することにより、当該最上位の用紙Ｐを給紙カセット２５から繰り出す。給送ローラ２７は図示しない駆動手段によって回転駆動され、給紙カセット２５から繰り出された最上位の用紙Ｐを湾曲反転させて、紙案内後３３を経て搬送手段５へと給送する。
【００２９】
給送ローラ２７の外周面と対向する位置には、給送ローラ２７に対して進退可能となるようリタードローラ２４が設けられており、給紙カセット２５から最上位の用紙Ｐが繰り出される際には、給送ローラ２７に圧接してニップ点を形成することにより、給送されるべき最上位の用紙Ｐに連れられて給紙カセット２５から繰り出された次位以降の用紙Ｐ先端を当該ニップ点近傍に留める。
【００３０】
次に、リア給送装置２及びフロント給送装置３の下流側には、給送される用紙Ｐを搬送手段５へと案内する紙案内後３３と、紙案内上３２と、が設けられており、リア給送装置２及びフロント給送装置３によって給送される用紙Ｐは、紙案内後３３と紙案内上３２とによって搬送手段５へ案内される。尚、符号２９は、リア給送装置２から給送される用紙Ｐの給送姿勢を規制するガイドローラを示している。
【００３１】
また、紙案内後３３と紙案内上３２とによって形成される用紙搬送経路には、用紙Ｐの通過を検出する用紙センサ（例えば、光学センサ）３５が設けられており、プリンタ１の制御部５０は、用紙センサ３５からの情報により用紙先端或いは後端の通過を知ることができるようになっている。
【００３２】
搬送手段５は、図示しないモータによって回転駆動される搬送駆動ローラ３０と、該搬送駆動ローラ３０に上方から弾接して従動回転する搬送従動ローラ３１とを備えて構成されている。搬送従動ローラ３１は、搬送駆動ローラ３０の回転軸線方向に複数配置されるとともに、紙案内上３２によって軸支される。リア給送装置２或いはフロント給送装置３から給送された用紙Ｐは、搬送手段５によって下流側の記録手段４（記録ヘッド３８）の側へと搬送される。
【００３３】
記録ヘッド３８はキャリッジ３６の底部に設けられ、当該キャリッジ３６は主走査方向（図１の紙面表裏方向）に延びるキャリッジガイド軸３７にガイドされながら、図示しないモータによって主走査方向に往復動する様に駆動される。また、キャリッジ３６は、複数の色毎に独立したインクカートリッジ（図示せず）を搭載し、このインクカートリッジから記録ヘッド３８へとインクが供給される。記録ヘッド３８と対向する位置には、用紙幅方向に延びる形状を成し、用紙を下から支持するとともに下流側へ案内する紙案内前３４が設けられ、当該紙案内前３４によって、用紙Ｐと記録ヘッド３８との間の間隔が規定される。
【００３４】
記録ヘッド３８の下流側には、記録の行われた用紙Ｐを排出する排出手段６が設けられている。排出手段６は図示しないモータによって回転駆動される排出駆動ローラ３９と、当該排出駆動ローラ３９に接して従動回転する排出従動ローラ４０とを備えて構成され、記録手段４によって記録の行われた用紙Ｐは、排出手段６によって装置前方側に設けられた図示しないスタッカへと排出される。
【００３５】
尚、プリンタ１は両面印刷モードを有しており、両面印刷を行う場合には、第１面に記録を実行すると用紙を装置外部へ排出せずに、用紙を上流側に引き戻し、反転装置７へと引き込む。反転装置７はフィードローラ４２と反転ローラ４１とを備えており、反転ローラ４１によって用紙Ｐを湾曲反転させる経路が形成されている。用紙Ｐはフィードローラ４２によって送られながら反転ローラ４１により反転させられ、最初に記録の行われた第１面とは反対側の第２面が記録ヘッド３８と対向する面となり、第１面と同様に搬送手段５によって下流側へ副走査送りされながら、第２面への記録が実行される。
【００３６】
また、プリンタ１は用紙Ｐの四辺に余白無く印刷を行う縁無し印刷モードを有しており、縁無し印刷を行う場合には、用紙先端が排出手段６に到達するまでの間、搬送手段５により副走査送りされながら記録ヘッド３８により記録が実行される。用紙先端が排出手段６に到達すると、用紙Ｐは搬送手段５と排出手段６の双方から送り力を受けながら記録ヘッド３８により記録が実行される。用紙後端が搬送手段５から抜けると、用紙Ｐは排出手段６により副走査送りされながら記録ヘッド３８により記録が実行される。以上により搬送手段５と排出手段６は、記録ヘッド３８とともに用紙Ｐに記録を実行する為の記録手段４を構成する。
【００３７】
続いて、図２を参照しながら、リア給送装置２の動力源について説明する。リア給送装置２は、給送ローラ駆動手段５１と、ホッパ駆動手段５２の、２つの駆動系統を有している。給送ローラ駆動手段５１は、駆動源としてのＡＳＦモータ５５と、動力伝達切換装置５３とを有し、ＡＳＦモータ５５の動力を、動力伝達切換装置５３を介し、リア給送装置２の給送ローラ１１及びフロント給送装置３のピックアップローラ２６のいずれか一方へ選択的に伝達する。
【００３８】
ホッパ駆動手段５２は、駆動源としてのＡＳＦサブモータ５６と、動力伝達切換装置５４とを有し、ＡＳＦサブモータ５６から、ホッパ１６の姿勢を切り換えるホッパカム（図示せず）及び戻しレバー１９を揺動させる戻しレバーカム（図示せず）の双方への動力伝達のオンオフ切り換えを、動力伝達切換装置５１を介して行う。尚、リタードローラ１８は、上述の通りホッパ１６の姿勢切り換え動作に連動して給送ローラ１１への進退動作を行う。  
以上がプリンタ１の大略構成である。
【００３９】
＜＜戻しレバーのポジション切換え制御＞＞  
以下、図４乃至図７を参照しながら戻しレバー１９のポジション切換モードについて説明する。ここで図４は戻しレバー１９のポジション切換モードの選択方法を示すフローチャート、図５は戻しレバー１９のポジション切換モードの内容を示すための、プリンタ１の各モータの動作タイミングチャート、図６は用紙給送経路の側面図である。また図７は戻しレバー１９のポジション切換モードの他の実施形態を示すための、プリンタ１の各モータの動作タイミングチャートである。
【００４０】
制御部５０は、戻しレバー１９のポジション切換モードとして、第１切換モードと、第２切換モードの、２つの制御モードを有している。大略的には、第１切換モードは画質優先モード、第２切換モードはスループット優先モードであり、第１切換モードでは、戻しレバー１９の第３ポジションから第１ポジションへの復帰動作は、先行ページの排出動作完了後に実行される。また、第２切換モードでは、第１切換モードとは異なり前記復帰動作が先行ページに関して実行される動作と並行して実行される。
【００４１】
即ち、用紙後端が、第１ポジションにある戻しレバー１９によって下方から押し上げられた状態となると、用紙に形成される湾曲の度合いが強くなり、バックテンションが増大するとともに、うら面（第２面）に擦り傷等のダメージを与えることから、画質優先の第１切換モードでは、先行ページをの排出動作を完了した後に、上記復帰動作を実行する。
【００４２】
一方で用紙が普通紙等の剛性の低いものであれば、バックテンションはそれ程増大しない。従ってスループット優先の第２切換モードでは、用紙後端が第１ポジションにある戻しレバー１９によって下方から押し上げられた状態となることが想定されても、次ページの用紙給送動作を速やかに実行する為に、先行ページの排出動作完了を待たずに、先行ページに関して実行される動作と並行して、上記復帰動作を実行する。これにより、スループットの向上を図ることができる。
【００４３】
ここで、「先行ページに関して実行される動作」とは、先行ページの給送動作、記録動作、排出動作など、戻しレバー１９が第３ポジションに切り換わった時点から先行ページの排出を完了するまでの、先行ページに関して実行される全ての動作を意味し、より具体的には先行ページを搬送或いは排出する為の搬送手段５或いは排出手段５の動作、記録ヘッド３８により記録を実行する為のキャリッジ３６の動作などを意味する。
【００４４】
尚、本実施形態において用紙の「記録動作」とは、記録ヘッド３８による最初の主走査から最後の主走査までを意味する。また用紙の「排出動作」とは、用紙Ｐを搬送手段５、又は排出手段６、又はその双方によって所定の位置まで送る動作を意味し、必ずしも用紙Ｐを完全に装置外部へ排出することを意味するものではないが、本実施形態では一例として用紙後端が排出手段６の下流側に位置するまで用紙Ｐを送る動作、つまり用紙Ｐを装置外部へ完全に排出するものとして説明する。
【００４５】
上記第１切換モード、第２切換モードの２つのモードのいずれを選択するかは、図４に示す条件判断により行われる。尚この判断は、一例として先行ページへの記録動作における最後の主走査を実行する際に行われるが、この判断をいずれのタイミングで行うかは、適宜変更することができることは言うまでもない。
【００４６】
先ず、次ページ印刷の有無を判断する（ステップＳ１０１）。次ページ印刷が無ければ（否定枝）、スループットを優先させる必要は無いので、第１切換モードが選択される（ステップＳ１０７）。
【００４７】
次に両面印刷を実行するか否かを判断する（ステップＳ１０２）。両面印刷を行う場合は（肯定枝）、うら面（第２面）に戻しレバー１９によって擦り傷が形成されないよう、基本的には第１切換モードが選択される。但し、用紙後端位置によっては、第２切換モードを選択する（ステップＳ１０５：後に詳述）。
【００４８】
次に用紙種類を判断する（ステップＳ１０３）。用紙が普通紙以外の場合は（否定枝）、用紙剛性が高く、第１の姿勢にある戻しレバー１９によって上方に押し上げられるとバックテンションが大きくなる虞があるので、基本的には第１切換モードが選択される。但し、用紙後端位置によっては、第２切換モードを選択する（ステップＳ１０５：後に詳述）。
【００４９】
次に記録モードが高速モードであるか否かを判断する（ステップＳ１０４）。記録モードが高速モード以外の場合は（否定枝）、画質が優先されるので、基本的には第１切換モードが選択される。但し、用紙後端位置によっては、第２切換モードを選択する（ステップＳ１０５：後に詳述）。
【００５０】
続いて、ステップＳ１０１〜Ｓ１０４において一旦は第１切換モードが選択されても、この時点で既に用紙後端が戻しレバー１９と接触可能な位置より下流側に進んでいれば、第２切換モードを選択する（ステップＳ１０５の肯定枝）。以下これを、図６を参照しつつ詳説する。
【００５１】
図６において符号Ｔは、戻しレバー１９の裏側角部（用紙うら面（第２面）と接触する虞のある部分）が描く回動軌跡を示しており、また符号１０ｂはリア給送装置２の基体を構成するフレーム１０において、用紙Ｐの先端を下流側にガイドするガイド面を示している。また、符号１０ａは、ホッパ上に積載された用紙Ｐの先端を支持する先端支持面を示している。また、図６の戻しレバー１９は第１ポジションにあるときの姿勢を示しており、符号Ｙ１はこのときの戻しレバー１９の裏側角部の位置を示している。
【００５２】
先に給送された用紙（先行ページ：符号Ｐ１で示す）の後端（符号ｅ１で示す）が、位置Ｙ１より下流側にあれば、戻しレバー１９が第３ポジションから第１ポジションへの復帰動作を行っても、先行する用紙Ｐ１の後端が戻しレバー１９によって下方から押し上げられることはない。
【００５３】
従って先行する用紙Ｐ１の後端ｅ１が既に位置Ｙ１より下流側にあれば、戻しレバー１９を第３ポジションから第１ポジションへ切り換えても、用紙Ｐ１が戻しレバー１９によって押し上げられることがなく、バックテンションの増大や用紙うら面（第２面）への擦り傷形成等を防止することができるので、このような場合はスループットの向上を図ることを目的として第２切換モードを選択する。
【００５４】
尚、用紙給送経路を側視して、ガイド面１０ｂと軌跡Ｔとの交点位置Ｙ２から上流側は、用紙後端が戻しレバー１９と接触する虞のある領域であるので、図４のステップＳ１０５において、先行する用紙Ｐ１の後端が位置Ｙ２を通過したか否かを判断するようにしても良い。
【００５５】
更に、先行する用紙Ｐ１の後端ｅ１の位置は、用紙Ｐ１の先端が用紙センサ３５（位置Ｙ３）を通過した後の給送ローラ１１の回転量と、プリンタドライバが把握する用紙Ｐ１のサイズ（長さ）情報とから把握することができるが、仮にプリンタドライバ上で指定された用紙のサイズと、実際にセットされた用紙のサイズとが異なっている場合、先行する用紙Ｐ１の後端ｅ１の正確な位置を把握することができない。そこで、図４のステップＳ１０５において、先行する用紙Ｐ１の後端ｅ１が、用紙センサ３５を通過したか否か（検出されたか否か）を判断するようにしても良い。
【００５６】
以上説明したように、第１切換モードにおいては、戻しレバー１９の第３ポジションから第１ポジションへの復帰動作は、用紙の排出動作が完了した後に実行される（図５（Ａ）のチャート上の位置ｃ）。従って第１切換モードでは、先行ページ後端（図６の符号ｅ１）が戻しレバー１９と接触することが無く、バックテンションの低減と用紙うら面への擦り傷等の形成を防止することができる。尚、チャート上の位置ｄは、第１切換モードにおいて、次ページの給送動作（戻しレバー１９の第１ポジションから第２ポジションへの切換動作による始まる）が開始されるタイミングを示している。
【００５７】
次に第２切換モードにおいては、先行ページへの記録動作のうち最後の主走査開始時（図５（Ｂ）のチャート上の位置ａ）を契機として前記復帰動作の実行を開始する。これにより前記復帰動作が、先行ページへの記録動作及び排出動作と並行して実行されることとなり、前記復帰動作の終了後速やかに次ページの給送動作を開始することができ（図５（Ｂ）のチャート上の位置ｂ）、スループットの向上を図ることができる。
【００５８】
また、用紙種類に応じて、或いは両面印刷実行の有無に応じて、或いは記録モードに応じて、上記２つの切換モードのいずれかを選択するので、用紙種類、両面印刷の有無、記録モード、のこれら記録条件に対応した最も適切な記録実行結果（記録品質、或いはスループット）を得ることが可能となる。
【００５９】
以上の例では、第２切換モードにおいて先行ページへの記録動作のうち最後の主走査開始時（図５（Ｂ）のチャート上の位置ａ）を契機として前記復帰動作の実行を開始しているが、これに限られず、先行ページに関して実行される動作と並行して前記復帰動作の一部または全部を行うものであれば、前記復帰動作に要する時間を全て待つことなく、次ページの給送動作を速やかに開始することができ、スループットの向上を図ることが可能である。例えば、第２ポジションから第３ポジションへの切り換え後、直ちに第１ポジションへの復帰動作を実行することも可能であるし、最初の主走査開始時を契機として前記復帰動作を実行することも可能である。
【００６０】
また特に、前記復帰動作が、少なくとも先行ページの排出動作完了時までに完了するように、或いは、より望ましくは先行ページへの記録動作完了時までに完了するように、前記復帰動作の開始タイミングを設定すれば、次ページの給送動作を開始するに際して戻しレバー１９の動作を全く待つ必要なく、速やかに次ページの給送動作を開始することができる。
【００６１】
このような観点から、他の実施形態として、次ページの給送動作が開始可能となる迄に、前記復帰動作が完了するように、前記復帰動作の開始タイミングを設定することも可能である。
【００６２】
ここで次ページの給送動作が開始可能となる条件としては、例えば図６に示す様に先行ページの後端ｅ１が給送ローラ１１とリタードローラ１８とのニップ点より下流側に進み、且つこの後端ｅ１と、次ページの先端ｎ２との間隔が所定の安全間隔Ｌに達したとき、が挙げられる。この様な条件が整うまでに、前記復帰動作が完了していれば、次ページの給送動作を開始するに際して前記復帰動作の完了を待つことなく、迅速に開始することができる。尚、次ページの給送動作が開始可能となる上記条件は一例であり、装置構成により次ページ給送動作が開始可能となる条件は異なるので、これに限られないことは言うまでもない。
【００６３】
また、以上説明した実施形態では、戻しレバー１９の動作モードとして、第１ポジションから第２ポジションへの動作モード、第２ポジションから第３ポジションへの動作モード、第２ポジションから第１ポジションへの動作モード、のこれら３つの動作モードを備え、各動作モードを各々実行することによって戻しレバー１９のポジション制御を行っていたが、更に第３ポジションから第２ポジションへの動作モードを備えることにより、より一層の高スループット化を図ることができる。
【００６４】
即ち、図５において「Pos.3→1」の動作後に一旦ＡＳＦサブモータを停止させ、その後改めて「Pos.1→2」の動作を行うことにより、戻しレバー１９を第２ポジションに切り換えていたが、図６に示す様に「Pos.3→(1)→2」の動作を行う（第３ポジションから第２ポジションへ、ＡＳＦサブモータを停止させることなく一気にポジション切換を行う）ことによって、より一層の高スループット化を図ることができる。
【図面の簡単な説明】
【００６５】
【図１】本発明に係るプリンタの側断面概略図。
【図２】リア給送装置の駆動源とその駆動対象との関係を示すブロック図。
【図３】戻しレバーの各ポジションを示す説明図。
【図４】戻しレバーのポジション切換制御モードの選択方法を示すフローチャート。
【図５】各モータの動作タイミングチャート。
【図６】用紙給送経路の側面図。
【図７】各モータの動作タイミングチャート。
【符号の説明】
【００６６】
１  インクジェットプリンタ、２  リア給送装置、３  フロント給送装置、４  記録手段、５  搬送手段、６  排出手段、７  反転装置、１０  フレーム、１１  給送ローラ、１２  給送ローラ回転軸、１６  ホッパ、１６ａ  揺動支点、１８  リタードローラ、１９  戻しレバー、２０  （戻しレバーの）回動軸、２４  リタードローラ、２５  給紙カセット、２６  ピックアップローラ、２７  給送ローラ、２９  ガイドローラ、３０  搬送駆動ローラ、３１  搬送従動ローラ、３２  紙案内上、３３  紙案内後、３４  紙案内前、３５  用紙センサ、３６  キャリッジ、３７  キャリッジガイド軸、３８  記録ヘッド、３９  排出駆動ローラ、４０  排出従動ローラ、４１  反転ローラ、４２  送りローラ、５０  制御部、５１  給送ローラ駆動手段、５２  ホッパ駆動手段、５３、５４  動力伝達切換装置、５５  ＡＳＦモータ、５６  ＡＳＦサブモータ、Ｐ  記録用紙
【図１】
2008239274.tif 000003
【図２】
2008239274.tif 000004
【図３】
2008239274.tif 000005
【図４】
2008239274.tif 000006
【図５】
2008239274.tif 000007
【図６】
2008239274.tif 000008
【図７】
2008239274.tif 000009